(57)【要約】【課題】各種情報を表示する表示部を筐体内部に設けた携帯電子機器において、表示部の表示面を視認する状態においても筐体の外観意匠を良好に維持できるようにする。【解決手段】表示部１５の表示面１５ａを筐体３に形成された開口部２１から外方に露出させると共に開口部２１を閉塞するように筐体３の表面３ｅ側に透明な板状部材２３を固定し、該板状部材２３を前記筐体３の表面３ｅから前記筐体３の厚さ方向に窪んで形成された収容凹部１９に収容すると共に該収容凹部１９の底壁面１９ａに配し、前記開口部２１及び前記板状部材２３の少なくとも一部を外方に露出させる装飾開口部２９を形成した略板状の装飾部材２７を前記筐体３の表面３ｅ及び前記板状部材２３の一端面２３ａに跨って配した携帯電子機器を提供する。【選択図】      図４
2007124001.tif 000002
【特許請求の範囲】
【請求項１】
筐体内部に配された表示部の表示面を前記筐体に形成された開口部から外方に露出させると共に、前記開口部を閉塞するように前記筐体の表面側に透明な板状部材を固定した携帯電子機器であって、
前記板状部材を前記筐体の表面から前記筐体の厚さ方向に窪んで形成された収容凹部に収容すると共に該収容凹部の底壁面に配し、
前記開口部及び前記板状部材の少なくとも一部を外方に露出させる装飾開口部を形成した略板状の装飾部材を、前記筐体の表面及び外方に露出する前記板状部材の一端面に跨って配することを特徴とする携帯電子機器。
【請求項２】
前記板状部材の一端面及び該一端面に対向する前記装飾部材の対向面の少なくとも一方のうち、前記装飾開口部の周囲に、前記一端面若しくは前記対向面から前記厚さ方向に窪む略環状の環状窪み部が形成され、
前記環状窪み部が、前記装飾開口部から離間して位置することを特徴とする請求項１に記載の携帯電子機器。
【請求項３】
前記装飾部材の対向面に対向する前記筐体の表面が、前記環状窪み部の底面と略同一平面上に形成されていることを特徴とする請求項２に記載の携帯電子機器。
【請求項４】
前記収容凹部の底壁面に対向する前記板状部材の他端面に、前記底壁面を目隠しする装飾が施されていることを特徴とする請求項１から請求項３のいずれか１項に記載の携帯電子機器。
【発明の詳細な説明】
【技術分野】
【０００１】
この発明は、各種情報を表示する表示部を備える携帯電子機器に関する。
【背景技術】
【０００２】
従来、携帯電話機、ＰＤＡ（Personal Digital Assistants）、デジタルカメラ、デジタルビデオカメラ、ノート型パーソナルコンピュータ等の携帯電子機器としては、筐体内部に各種情報を表示する表示部を備えると共に、筐体に表示部の表示面を外方に露出させる開口部を形成したものがある。また、この種の携帯電子機器には、筐体の表面から窪む凹部の底面に上記開口部を形成し、この凹部の底面に透明な表示窓部（板状部材）を貼り付けることで上記開口部を閉塞すると共に上記表示面の保護を図っているものもある（例えば、特許文献１参照。）。
【特許文献１】特開２００４−２３６１０号公報
【発明の開示】
【発明が解決しようとする課題】
【０００３】
しかしながら、上記従来の携帯電子機器において、表示窓部は筐体に形成された凹部に収容されると共にこの凹部の底面に貼り付けられるため、凹部の側壁面と表示窓部との隙間に塵埃等が侵入する。特に、携帯電子機器の使用者が表示部の表示面を視認する際には上記隙間も同時に視認されるため、上記隙間に入り込んだ塵埃が上記使用者の視界に入り、携帯電子機器の使用状態における筐体の外観意匠を損なう虞がある。
この発明は、上述した事情に鑑みてなされたものであって、表示部の表示面を視認する状態においても筐体の外観意匠を良好に維持できる携帯電子機器を提供することを目的としている。
【課題を解決するための手段】
【０００４】
上記課題を解決するために、この発明は以下の手段を提案している。
本発明に係る携帯電子機器は、筐体内部に配された表示部の表示面を前記筐体に形成された開口部から外方に露出させると共に、前記開口部を閉塞するように前記筐体の表面側に透明な板状部材を固定した携帯電子機器であって、前記板状部材を前記筐体の表面から前記筐体の厚さ方向に窪んで形成された収容凹部に収容すると共に該収容凹部の底壁面に配し、前記開口部及び前記板状部材の少なくとも一部を外方に露出させる装飾開口部を形成した略板状の装飾部材を、前記筐体の表面及び外方に露出する前記板状部材の一端面に跨って配することを特徴とする。
【０００５】
また、本発明に係る携帯電子機器は、前記板状部材の一端面及び該一端面に対向する前記装飾部材の対向面の少なくとも一方のうち、前記装飾開口部の周囲に、前記一端面若しくは前記対向面から前記厚さ方向に窪む略環状の環状窪み部が形成され、前記環状窪み部が前記装飾開口部から離間して位置することを特徴とする。
【０００６】
さらに、本発明に係る携帯電子機器は、前記装飾部材の対向面に対向する前記筐体の表面が、前記環状窪み部の底面と略同一平面上に形成されていることを特徴とする。
また、本発明に係る携帯電子機器は、前記収容凹部の底壁面に対向する前記板状部材の他端面に、前記底壁面を目隠しする装飾が施されていることを特徴とする。
【発明の効果】
【０００７】
この発明によれば、略板状の装飾部材により筐体に形成された収容凹部の側壁面と板状部材との隙間が覆い隠されるため、上記隙間に塵埃等が侵入することを防止できる。したがって、表示部の表示面を視認する状態においても筐体の外観意匠を良好に維持することができる。
また、板状部材の一端面及び装飾部材の対向面の少なくとも一方に環状窪み部を形成した場合には、装飾部材を板状部材の一端面に配した状態において、板状部材の一端面及び装飾部材の対向面のいずれか一方に形成された環状窪み部の底面と、板状部材の一端面及び装飾部材の対向面のいずれか他方との間に隙間が形成されることになる。ここで、上記環状窪み部は装飾部材の装飾開口部から離間した位置に形成されているため、上記隙間に接着剤を配すると共にこの接着剤を介して板状部材と装飾部材とを相互に接着固定する場合には、上記接着剤の厚さ寸法を上記隙間と略等しくすることで、装飾開口部に隣接する装飾部材の対向面を板状部材の一端面に当接させることができる。
【０００８】
したがって、装飾部材を板状部材に接着固定した状態においては、板状部材と装飾部材との隙間が装飾開口部から外方に露出せず、装飾開口部から板状部材と装飾部材との間に塵埃が入り込むことを防止できる。
また、例えば、携帯電子機器を通話で使用する際に、髪の毛が装飾開口部から上記板状部材と装飾部材との間に入り込んで挟まることも防止できるため、携帯電子機器を容易に取り扱うことが可能となる。さらに、接着剤も装飾開口部から外方に露出しないため、接着剤に塵埃が付着する等して接着剤の接着力が低下することも確実に防止できる。
【発明を実施するための最良の形態】
【０００９】
図１から図５は本発明に係る一実施形態を示しており、ここで説明する実施の形態は、この発明を携帯電話機に適用した場合のものである。
図１に示すように、この実施の形態に係る携帯電話機（携帯電子機器）１は、第１の筐体２と、この第１の筐体２の厚さ方向に重ね合わせ可能な第２の筐体３と、これら２つの筐体２，３を相互に折り畳み自在に連結するヒンジ部５とを備えている。なお、ヒンジ部５は、２つの筐体２，３の各端部２ａ，３ａ（以下、基端部２ａ，３ａと呼ぶ。）同士を連結するように配されている。
【００１０】
第１の筐体２の内部には、通話キー、終話キー等の各種の押圧可能な操作キー６を備えたキー操作部７及び通話用のマイクロフォン部９が設けられている。キー操作部７の各操作キー６は、２つの筐体２，３を相互に重ね合わせた状態において第２の筐体３に対向する第１の筐体２の対向面２ｃから外方に露出している。マイクロフォン部９は、基端部２ａとは反対側に位置する第１の筐体２の先端部２ｂ側に配されており、第１の筐体２の対向面２ｃから第１の筐体２の内部空間に貫通する開口部２ｄを介して外方に露出している。なお、図中の符号１１は、基地局と無線通信を行うためのアンテナである。
【００１１】
図１，２に示すように、第２の筐体３の内部には、ＬＣＤ（Liquid Crystal Display）等、各種情報を表示する表示面１３ａ，１５ａを有する２つの表示部１３，１５、及び、通話用のスピーカ部１７が設けられている。第１の表示部１３の表示面１３ａは、２つの筐体２，３を相互に重ね合わせた状態において第１の筐体２に対向する第２の筐体３の対向面３ｃから外方に露出している。スピーカ部１７は、基端部３ａとは反対側に位置する第２の筐体３の先端部３ｂに配されており、第２の筐体３の対向面３ｃから第２の筐体３の内部空間に貫通する開口部３ｄを介して外方に露出している。
また、第２の表示部１５の表示面１５ａは、２つの筐体２，３の開閉状態にかかわらず、対向面３ｃとは反対側に位置する第２の筐体３の外面３ｅから外方に露出している。
【００１２】
また、第２の筐体３には、図３，４に示すように、その外面３ｅから第２の筐体３の厚さ方向に窪む収容凹部１９が形成されると共に、この収容凹部１９の底壁面１９ａから第２の筐体３の内部空間に貫通する平面視略矩形の開口部２１が形成されている。前述した第２の表示部１５の表示面１５ａは、この開口部２１を介して外方に露出している。
収容凹部１９には、ポリカーボネートやアクリル等の透明な材料を略板状に形成したカバーガラス（板状部材）２３が収容されると共に収容凹部１９の底壁面１９ａに両面テープ等の接着剤（不図示）を介して貼り付けられている。このカバーガラス２３によって開口部２１が閉塞されることになる。なお、カバーガラス２３を収容凹部１９に配した状態においては、収容凹部１９の側壁面とカバーガラス２３との間に隙間が形成されるが、この隙間は収容凹部１９及びカバーガラス２３の寸法公差に基づいて生じる程度の微少なものである。
【００１３】
また、収容凹部１９の底壁面１９ａに対向するカバーガラス２３の下端面（他端面）２３ｂには、色・模様等の装飾を施して収容凹部１９の底壁面１９ａを目隠しする印刷層２５が形成されており、収容凹部１９の底壁面１９ａがカバーガラス２３を介して外方側から視認されないようになっている。すなわち、この印刷層２５により、前述のようにカバーガラス２３を貼り付けるための接着剤を覆い隠すことができる。
さらに、第２の筐体３の外面３ｅ、及び、外方に露出するカバーガラス２３の上端面（一端面）２３ａの上方には、略板状の装飾部材２７が配されるようになっている。この装飾部材２７には、第２の筐体３の開口部２１及びカバーガラス２３の一部を外方に露出させる装飾開口部２９が形成されている。
【００１４】
また、この装飾部材２７は、第２の筐体３に係合させることで第２の筐体３に対して位置決めされるように構成されている。すなわち、カバーガラス２３の上端面２３ａに対向する装飾部材２７の対向面２７ａの周縁には、対向面２７ａから第２の筐体３の外面３ｅに向けて突出する側壁部２７ｂが形成されている。そして、第２の筐体３には、上記側壁部２７ｂを挿入させる係合溝３ｆが、収容凹部１９の周囲を囲繞するように第２の筐体３の外面３ｅから窪んで形成されている。したがって、装飾部材２７の側壁部２７ｂを第２の筐体３の係合溝３ｆに挿入することにより、第２の筐体３に対する装飾部材２７の位置決めが行われることになる。
上記の状態においては、装飾部材２７が第２の筐体３の外面３ｅ及びカバーガラス２３の上端面２３ａに跨って配されることになる、すなわち、装飾部材２７によって収容凹部１９の側壁面とカバーガラス２３との微少な隙間が覆い隠されることになる。
【００１５】
この装飾部材２７は、図５に示すように、両面テープ等の接着剤Ｇ１によりカバーガラス２３の上端面２３ａに接着固定されるようになっている。この接着剤Ｇ１は、カバーガラス２３の上端面２３ａから窪んで形成された環状窪み部３１の底面３１ａに配される。ここで、環状窪み部３１は、装飾部材２７の装飾開口部２９の周囲に環状に形成されており、また、装飾開口部２９から離間した位置に形成されている。なお、この環状窪み部３１は、その深さ寸法が接着剤Ｇ１の厚さ寸法と略等しくなるように形成されている。
また、この装飾部材２７は、両面テープ等の接着剤Ｇ２により第２の筐体３の外面３ｅにも接着固定されるようになっている。ここで、上記接着剤Ｇ２を配する外面３ｅは、環状窪み部３１の底面３１ａと略同一平面上に形成されており、カバーガラス２３及び装飾部材２７を相互に接着固定する接着剤Ｇ１と同様の厚さ寸法の接着剤Ｇ２を配することができるようになっている。
【００１６】
上記のように、この携帯電話機１によれば、略板状の装飾部材２７により第２の筐体３に形成された収容凹部１９の側壁面とカバーガラス２３との隙間が覆い隠されるため、上記隙間に塵埃等が侵入することを確実に防止できる。したがって、第２の表示部１５の表示面１５ａを視認する状態においても第２の筐体３の外観意匠を良好に維持することができる。
また、カバーガラス２３の上端面２３ａに環状窪み部３１を形成しておくと共に、環状窪み部３１の深さ寸法と略等しい厚さ寸法を有する接着剤Ｇ１を装飾部材２７の対向面２７ａと環状窪み部３１の底面３１ａとの隙間に配することにより、上記接着剤Ｇ１によりカバーガラス２３と装飾部材２７とを相互に接着した状態において、装飾開口部２９に隣接する装飾部材２７の対向面２７ａをカバーガラス２３の上端面２３ａに当接させることができる。
【００１７】
したがって、装飾部材２７をカバーガラス２３に接着固定した状態においては、カバーガラス２３と装飾部材２７との隙間が装飾開口部２９から外方に露出せず、装飾開口部２９からカバーガラス２３と装飾部材２７との間に塵埃が入り込むことを確実に防止できる。
また、例えば、携帯電話機１を通話で使用する際に、髪の毛が装飾開口部２９を介してカバーガラス２３と装飾部材２７との間に入り込んで挟まることも防止できるため、携帯電話機１を容易に取り扱うことが可能となる。さらに、上記接着剤Ｇ１も装飾開口部２９から外方に露出しないため、接着剤Ｇ１に塵埃が付着する等して接着剤Ｇ１の接着力が低下することも確実に防止できる。
【００１８】
さらに、装飾部材２７と第２の筐体３との接着固定に使用する接着剤Ｇ２が配される第２の筐体３の外面３ｅは、環状窪み部３１の底面３１ａと略同一平面上に形成されているため、装飾部材２７とを接着する接着剤Ｇ１と同様の厚さ寸法の接着剤Ｇ２を配することができ、装飾部材２７を第２の筐体の外面３ｅにも容易に接着固定することが可能となる。
また、カバーガラス２３の下端面２３ｂに形成された印刷層２５により、前述のようにカバーガラス２３を貼り付けるための接着剤を覆い隠すことができるため、さらに良好な外観意匠を有する携帯電話機１を提供することができる。
【００１９】
なお、上記の実施形態においては、カバーガラス２３に接着剤Ｇ１を配するための環状窪み部３１が形成されるとしたが、これに限ることはなく、少なくとも装飾開口部２９から離間した位置に接着剤Ｇ１を配する隙間が、カバーガラス２３と装飾部材２７との間に形成されていればよい。したがって、上記実施形態と同様の環状窪み部が、例えば、装飾部材２７にその対向面２７ａから厚さ方向に窪んで形成されるとしても構わないし、これらカバーガラス２３及び装飾部材２７の両方に形成されるとしてもよい。
また、ヒンジ部５によって互いに連結された２つの筐体２，３を備える携帯電話機１について述べたが、これに限ることはなく、少なくとも各種情報を表示する表示部を備えていればよく、例えば、１つの筐体から構成される携帯電話機であっても構わない。
【００２０】
さらに、携帯電話機に限ることはなく、例えば、ＰＤＡやデジタルカメラ、デジタルビデオカメラ、ノート型パーソナルコンピュータに適用しても構わない。
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００２１】
【図１】この発明の一実施形態に係る携帯電話機の第１、第２の筐体を相互に開いた状態を示す概略斜視図である。
【図２】図１の携帯電話機において、第１、第２の筐体の筐体を相互に閉じた状態を第２の筐体の外面側から見た様子を示す概略平面図である。
【図３】図１の携帯電話機において、第２の筐体、並びに、これに取り付けられるカバーガラス及び装飾部材を相互に分離した状態を示す概略斜視図である。
【図４】図１の携帯電話機において、第２の筐体にカバーガラス及び装飾部材を取り付けた状態を示す概略断面図である。
【図５】図１の携帯電話機において、第２の筐体及びカバーガラスと装飾部材との接着状態を示す要部拡大断面図である。
【符号の説明】
【００２２】
１  携帯電話機（携帯電子機器）
３  第２の筐体
３ｅ  外面（表面）
１５  第２の表示部
１５ａ  表示面
１９  収容凹部
１９ａ  底壁面
２１  開口部
２３  カバーガラス（板状部材）
２３ａ  上端面（一端面）
２３ｂ  下端面（他端面）
２７  装飾部材
２７ａ  対向面
２９  装飾開口部
３１  環状窪み部
３１ａ  底面
【図１】
2007124001.tif 000003
【図２】
2007124001.tif 000004
【図３】
2007124001.tif 000005
【図４】
2007124001.tif 000006
【図５】
2007124001.tif 000007